(57)【要約】【課題】傷発生を防止するのみならず、使用時には外れにくく、交換時には容易に交換して着せ替えができる、見映えがよく、商品性の高い携帯電子機器を提供する。【解決手段】カバー２０に第１の筐体２を覆う第１平面部２０ａと、第２の筐体３を覆う第２平面部２０ｂと、第１平面部２０ａ及び第２平面部２０ｂを結合する結合部２０ｃとを設ける。第１固定部材で第１平面部２０ａと第１の筐体２とを着脱可能に固定する。第２平面部２０ｂの袋部２２に挿入した第２固定部材３２で第２平面部２０ｂと第２の筐体３とを着脱可能に固定する。このことでカバー２０を着脱自在に構成する。第２固定部材３２は、第２の筐体３に装着された電池を覆う電池蓋を兼ねるものとする。【選択図】図５
2007329697.tif 000002
【特許請求の範囲】
【請求項１】
第１の筐体と、第２の筐体と、第１及び第２の筐体を折畳み自在に連結するヒンジ部とを備え、第１の筐体及び第２の筐体の背面側がカバーで覆われた折畳み式携帯電子機器であって、
上記カバーは、上記第１の筐体を覆う第１平面部と、第２の筐体を覆う第２平面部と、第１平面部及び第２平面部を結合する結合部とを備え、
上記第１平面部と第１の筐体とを着脱可能に固定する第１固定部材と、
上記第２平面部と第２の筐体とを着脱可能に固定する第２固定部材と、
上記第２平面部に形成され、上記第２固定部材を挿入する袋部とを備え、
上記第２固定部材は、上記第２の筐体に装着された電池を覆う電池蓋を兼ね、
上記カバーは着脱自在に構成されている
ことを特徴とする折畳み式携帯電子機器。
【請求項２】
請求項１に記載の折畳み式携帯電子機器であって、
上記第２平面部の袋部は、上記第２固定部材を挿入するためのスリットを備えている
ことを特徴とする折畳み式携帯電子機器。
【請求項３】
請求項１又は２に記載の折畳み式携帯電子機器であって、
上記第２固定部材には、上記第２の筐体側に突出する複数の係止用爪が形成され、
上記第２平面部の袋部には、上記係止用爪が挿通される係止爪挿通用貫通孔が形成され、
上記第２の筐体の背面には、上記係止用爪が係止される筐体側係合孔が形成されている
ことを特徴とする折畳み式携帯電子機器。
【請求項４】
請求項３に記載の折畳み式携帯電子機器であって、
上記係止用爪の少なくとも１つには、鉤部が形成され、該係止用爪が係止される筐体側係合孔には、該鉤部が引っ掛かる外れ止め部が形成され、
上記鉤部と外れ止め部との係合を解除することで、上記第２固定部材が第２の筐体から取り外し可能に構成されている
ことを特徴とする折畳み式携帯電子機器。
【請求項５】
請求項４に記載の折畳み式携帯電子機器であって、
上記外れ止め部は、外部に露出するスイッチ部を備え、該スイッチ部を操作することで、上記鉤部と外れ止め部との係合が解除されるように構成されている
ことを特徴とする折畳み式携帯電子機器。
【請求項６】
請求項１乃至５のいずれか１つに記載の折畳み式携帯電子機器であって、
上記第１平面部の外周には、上記第１の筐体の周縁を覆うノリ部が袋状に形成され、
上記第１の筐体は、上記カバーの第１平面部とノリ部との間に挿入された状態で、第１固定部材に正面側から締結部材によって締結されている
ことを特徴とする折畳み式携帯電子機器。
【請求項７】
請求項１乃至６のいずれか１つに記載の折畳み式携帯電子機器であって、
上記第１の筐体又は第２の筐体の背面にカメラ部を有し、
上記カバーは、上記カメラ部が露出するようにカメラ用開口部を有し、
上記カメラ用開口部は、該カメラ用開口部の切り口を隠し、上記カメラ部のレンズ部分を露出させるレンズ露出部を備えたカメラカバーで覆われている
ことを特徴とする折畳み式携帯電子機器。
【請求項８】
請求項１乃至７のいずれか１つに記載の折畳み式携帯電子機器であって、
上記カバーの外周は、ミシンで袋状に縫いつけられている
ことを特徴とする折畳み式携帯電子機器。
【請求項９】
請求項１乃至８のいずれか１つに記載の折畳み式携帯電子機器であって、
上記カバーは、本革で構成されている
ことを特徴とする折畳み式携帯電子機器。
【請求項１０】
請求項１乃至８のいずれか１つに記載の折畳み式携帯電子機器であって、
上記カバーは、合成皮革で構成されている
ことを特徴とする折畳み式携帯電子機器。
【請求項１１】
請求項１乃至８のいずれか１つに記載の折畳み式携帯電子機器であって、
上記カバーは、布で構成されている
ことを特徴とする折畳み式携帯電子機器。
【請求項１２】
請求項１乃至１１のいずれか１つに記載の折畳み式携帯電子機器であって、
上記第１及び第２固定部材は、樹脂成型品で構成されている
ことを特徴とする折畳み式携帯電子機器。
【請求項１３】
請求項１乃至１１のいずれか１つに記載の折畳み式携帯電子機器であって、
上記第１及び第２固定部材は、金属材料で構成されている
ことを特徴とする折畳み式携帯電子機器。
【請求項１４】
請求項１乃至１３のいずれか１つに記載の折畳み式携帯電子機器であって、
上記カメラカバーは、樹脂成型品で構成されている
ことを特徴とする折畳み式携帯電子機器。
【請求項１５】
請求項１乃至１３のいずれか１つに記載の折畳み式携帯電子機器であって、
上記カメラカバーは、金属材料で構成されている
ことを特徴とする折畳み式携帯電子機器。
【請求項１６】
折畳み式携帯電話機である
ことを特徴とする請求項１乃至１５のいずれか１つに記載の折畳み式携帯電子機器。
【発明の詳細な説明】
【技術分野】
【０００１】
本発明は、カバーを装着した折畳み式携帯電子機器に関する。
【背景技術】
【０００２】
携帯電話機は全国でますます普及し、メールや電話をする人が増えている。そして携帯するが故に持ち運び落としてしまうことも度々あり、携帯電話機の外観を傷付けてしまう。
【０００３】
そのため、落としても傷を付けにくくするために、カバーを設けるものが知られている。このようなカバーを設けても、すぐにカバーを脱着して使用可能にしたり、またカバーを付たままで使用可能にするよう工夫されている。
【０００４】
例えば、特許文献１には、携帯電話機を収納するカバーで、ベルト等に装着し、脱着を素早く行え、携帯電話機を収納したままで通話が行えるカバー装置が開示されている。
【０００５】
また、特許文献２には、カバーの上下の折り返しでベルト装着用のループを構成し、使用時には、カバーに折り返し部を密着して邪魔にならないようにすることが記載されている。
【０００６】
また、特許文献３には、機器本体を収めた筐体及びこの筐体を固着するシート部を有する本体部と、この本体部に被着するカバーとを有する小型電子機器において、前記本体部の前記シート部は、前記筐体よりも側方に突出するフランジ部を有し、前記カバーは、前記フランジ部に係止させて前記シート部に被着する袋状の周辺部を外縁部に有する小型電子機器が開示されている。
【特許文献１】特開平１１−２８５４０８号公報
【特許文献２】特開平１１−２９９５２２号公報
【特許文献３】特開２００５−１３６２６１号公報
【発明の開示】
【発明が解決しようとする課題】
【０００７】
ところで、近年、携帯電話機の外観を変えるアクセサリが用いられている。すなわち、気分によって日替わりで違うアクセサリを付けたり、季節によってアクセサリを変えたり、仕事やプライベートでアクセサリを変えたり、会う相手によってアクセサリを変えたりするというニーズがある。
【０００８】
しかしながら、従来の携帯電話機等の携帯電子機器では、携帯電話機の傷発生を防止したり、使用者の体が触れたときの不快感を防ぐことはできるものの、容易にＴＰＯに合わせて外観を変えることができなかった。つまり、上記特許文献３には、着脱自在なカバーが開示されているが、実際には、フランジ部と袋状の周辺部とを接着しないと、開閉時にカバーがフランジ部に対して動いてしまうので、容易にカバーが外れてしまう。これを防ぐためには、フランジ部とカバーとを接着せざるを得ず、結果としてカバーを着脱自在に構成できないという問題がある。
【０００９】
本発明は、かかる点に鑑みてなされたものであり、その目的とするところは、傷発生を防止するのみならず、使用時には外れにくく、交換時には容易に交換して着せ替えができる、見映えがよく、商品性の高い携帯電子機器を提供することにある。
【課題を解決するための手段】
【００１０】
上記の目的を達成するために、この発明では、電池蓋を兼ねた第２固定部材を用いて第２平面部と第２の筐体とを着脱可能に固定するようにした。
【００１１】
具体的には、第１の発明では、第１の筐体と、第２の筐体と、第１及び第２の筐体を折畳み自在に連結するヒンジ部とを備え、第１の筐体及び第２の筐体の背面側がカバーで覆われた折畳み式携帯電子機器を対象とし、
上記カバーは、上記第１の筐体を覆う第１平面部と、第２の筐体を覆う第２平面部と、第１平面部及び第２平面部を結合する結合部とを備え、
上記折畳み式携帯電子機器は、
上記第１平面部と第１の筐体とを着脱可能に固定する第１固定部材と、
上記第２平面部と第２の筐体とを着脱可能に固定する第２固定部材と、
上記第２平面部に形成され、上記第２固定部材を挿入する袋部とを備え、
上記第２固定部材は、上記第２の筐体に装着された電池を覆う電池蓋を兼ね、
上記カバーは着脱自在に構成されている。
【００１２】
上記の構成によると、第１固定部材により、第１平面部と第１の筐体とが着脱自在に固定され、第２平面部の袋部に挿入された第２固定部材により、第２平面部と第２の筐体とが着脱自在に固定される。このため、通常時は、カバーが第１及び第２固定部材によって固定され、交換時には、第１及び第２固定部材を取り外すことで、カバーが着脱可能となる。また、第２固定部材は、電池蓋を兼ねているため、部品点数が少なくて済む。
【００１３】
第２の発明では、上記第２平面部の袋部は、上記第２固定部材を挿入するためのスリットを備えている。
【００１４】
上記の構成によると、袋部のスリットを広げながら、第２固定部材が袋部に容易に挿入される。
【００１５】
第３の発明では、上記第２固定部材には、上記第２の筐体側に突出する複数の係止用爪が形成され、
上記第２平面部の袋部には、上記係止用爪が挿通される係止爪挿通用貫通孔が形成され、
上記第２の筐体の背面には、上記係止用爪が係止される筐体側係合孔が形成されている。
【００１６】
上記の構成によると、第２固定部材から突出する係止用爪を袋部の係止爪挿通用貫通孔に挿通し、先端を第２の筐体の背面側筐体側係合孔に係止することで、第２平面部が着脱自在に第２の筐体の背面側に固定される。
【００１７】
第４の発明では、上記係止用爪の少なくとも１つには、鉤部が形成され、該係止用爪が係止される筐体側係合孔には、該鉤部が引っ掛かる外れ止め部が形成され、
上記鉤部と外れ止め部との係合を解除することで、上記第２固定部材が第２の筐体から取り外し可能に構成されている。
【００１８】
上記の構成によると、係止用爪の鉤部が筐体側係合孔の外れ止め部に係合することで、第２固定部材が外れ止めされ、通常使用時にカバーが第２の筐体から外れないようになっている。一方、鉤部と外れ止め部との係合を解除することで、第２固定部材が第２の筐体から取り外されると、第２平面部が第２の筐体から外れ、カバーの交換が可能となる。
【００１９】
第５の発明では、上記外れ止め部は、外部に露出するスイッチ部を備え、該スイッチ部を操作することで、上記鉤部と外れ止め部との係合が解除されるように構成されている。
【００２０】
上記の構成によると、スイッチ部を操作するだけで、鉤部と外れ止め部との係合が解除されるので、カバーの交換が容易である。
【００２１】
第６の発明では、上記第１平面部の外周には、上記第１の筐体の周縁を覆うノリ部が袋状に形成され、
上記第１の筐体は、上記カバーの第１平面部とノリ部との間に挿入された状態で、第１固定部材に正面側から締結部材によって締結されている。
【００２２】
上記の構成によると、締結部材によって第１固定部材が締結されているので、通常使用時には、第１平面部は第１の筐体から外れない。一方、締結部材の締結を解除することで、第１固定部材が取り外され、第１平面部が第１の筐体から外されると、カバーの交換が可能となる。
【００２３】
第７の発明では、上記第１の筐体又は第２の筐体の背面にカメラ部を有し、
上記カバーは、上記カメラ部が露出するようにカメラ用開口部を有し、
上記カメラ用開口部は、該カメラ用開口部の切り口を隠し、上記カメラ部のレンズ部分を露出させるレンズ露出部を備えたカメラカバーで覆われている。
【００２４】
上記の構成によると、カメラカバーでカメラ部のレンズ部分がカメラ用開口部の切り口によって覆われるのが防止されるので、カメラにカバーの切り口が写ることはない。また、カメラカバーを取り外せば、カバーの着せ替えが可能となる。
【００２５】
第８の発明では、上記カバーの外周は、ミシンで袋状に縫いつけられている。
【００２６】
上記の構成によると、第１平面部にノリ部を形成したり、第２平面部に袋部を形成したりするのが容易である。
【００２７】
第９の発明では、上記カバーは、本革で構成されている。
【００２８】
上記の構成により、本革によって動物が持つ自然の手触りや匂いを楽しむことができる。
【００２９】
第１０の発明では、上記カバーは、合成皮革で構成されている。
【００３０】
上記の構成により、合成皮革は、材質や加工方法によって表面にいろいろな装飾を施すことができると共に、手入れが容易である。
【００３１】
第１１の発明では、上記カバーは、布で構成されている。
【００３２】
上記の構成により、汚れれば取り外して洗うことも可能となる。
【００３３】
第１２の発明では、上記第１及び第２固定部材は、樹脂成型品で構成されている。
【００３４】
上記の構成により、複雑な形状でも加工が容易で質量も軽い。
【００３５】
第１３の発明では、上記第１及び第２固定部材は、金属材料で構成されている。
【００３６】
上記の構成によると、剛性が高いので、第２平面部を第２の筐体に堅固に固定できる。
【００３７】
第１４の発明では、上記カメラカバーは、樹脂成型品で構成されている。
【００３８】
上記の構成によると、カバーに合わせた装飾が容易である。
【００３９】
第１５の発明では、上記カメラカバーは、金属材料で構成されている。
【００４０】
上記の構成によると、剛性が高いので、カバーが堅固に固定される。
【００４１】
第１６の発明では、上記折畳み式携帯電子機器は、折畳み式携帯電話機とする。
【００４２】
上記の構成より、高級感、ファッショ性のある折畳み式携帯電話機が得られる。
【発明の効果】
【００４３】
以上説明したように、本発明によると、第１固定部材で第１の筐体と第１平面部とを着脱自在に固定し、電池蓋を兼ねる第２固定部材で第２の筐体と第２平面部とを着脱自在に固定することで、カバーを着脱自在に構成している。このため、傷発生を防止するのみならず、使用時には外れにくく、交換時には容易に交換して着せ替えができる、見映えがよく、商品性の高い折畳み式携帯電子機器を提供することができる。
【発明を実施するための最良の形態】
【００４４】
以下、本発明の実施形態を図面に基づいて説明する。
【００４５】
図１は、本発明の実施形態に係る折畳み式携帯電話機の閉じた状態をカメラ部が下になるようにして右方向から見た斜視図である。図２は、本発明の実施形態に係る折畳み式携帯電話機の閉じた状態をカメラ部が上になるようにして右方向から見た斜視図である。図３は、折畳み式携帯電話機の開いた状態を右方向から見た斜視図である。
【００４６】
図１乃至図３に示すように、本実施形態の折畳み式携帯電子機器としての折畳み式携帯電話機１は、第１の筐体２と第２の筐体３とを有し、これらがヒンジ部４によって折畳み自在に結合されている。電話機本体１０は、これら第１及び第２の筐体２，３で構成されている。
【００４７】
上記第１の筐体２には、表示部５、受話部８等が設けられている。上記第２の筐体３には、機能ボタン６、情報入力ボタン７、送話部９等が設置されている。第２の筐体３の背面側には、カメラ部１２が設けられている。
【００４８】
上記第１及び第２の筐体２，３の背面は、カバー２０に覆われている。カバー２０は、第１の筐体２を覆う第１平面部２０ａと第２の筐体３の背面を覆う第２平面部２０ｂと、これら第１平面部２０ａと第２平面部２０ｂとを連結する結合部２０ｃとを備えている。結合部２０ｃとヒンジ部４との間には、隙間が形成されて互いに結合されていない。結合部２０ｃには、折畳み式携帯電話機１の開閉を考慮して弛みが設けられている。但し、開いた状態では弛みが発生するように構成されているが、閉じた状態では結合部２０ｃの弛みがなくなるようにすると、見映えがよい。カバー２０は、本革で構成されている。このことで、動物が持つ自然の手触りや匂いを楽しむことができる。
【００４９】
図４は、カバー２０と第２固定部材３２との分解斜視図を示す。図５は、第２固定部材３２を挿入したカバー２０と、電話機本体１０との分解斜視図である。図６は、第１の筐体２をカバー２０に挿入後、第２固定部材３２を閉じて組み上げる状態を示す斜視図である。図７は、第１固定部材３１を取り付ける状態を示す斜視図である。図９は、図１のおけるIX−IX線断面図である。図１０は、図３におけるＸ−Ｘ線断面図である。
【００５０】
図７に示すように、折畳み式携帯電話機１は、上記第１平面部２０ａと第１の筐体２とを着脱可能に固定する第１固定部材３１を備えている。この第１固定部材３１は、上記表示部５を囲む窓部３１ａを備えた矩形枠状のものである。第１固定部材３１は、樹脂成型品で構成されている。第１固定部材３１の下側に、下方へ突出する一対の係止爪３１ｂが形成され、上側に２つのビス挿通孔３１ｃが形成されている。
【００５１】
また、第１平面部２０ａの外周には、第１の筐体２の周縁を覆うノリ部２１が袋状に形成されている。このノリ部２１は、カバー２０の外周をミシンで袋状に縫いつけることで形成されている。例えば、矩形枠状の本革の周縁を第１平面部２０ａにミシンで縫いつければよい。
【００５２】
第１の筐体２には、第１固定部材３１の係止爪３１ｂに対応するように、係止孔２ａが形成されている。また、第１の筐体２には、上記ビス挿通孔３１ｃに対応する位置にネジ穴２ｂが形成されている。図５に示すように、第１の筐体２をカバー２０の第１平面部２０ａとノリ部２１との間に下方から挿入した状態で、図７に示すように、第１固定部材３１の係止爪３１ｂを係止孔２ａに係止して、ビス挿通孔３１ｃに正面側から締結部材１１を挿通してネジ穴２ｂに締結することで、図９に示すように、第１固定部材３１がノリ部２１を挟んだ状態で第１の筐体２に着脱可能に固定されている。
【００５３】
図４乃至図６に示すように、折畳み式携帯電話機１は、第２平面部２０ｂと第２の筐体３とを着脱可能に固定する第２固定部材３２を備えている。第２固定部材３２は、矩形板状のもので、第２の筐体３の電池挿入部１８に装着された電池１９（図９及び図１０に示す）を覆う電池蓋を兼ねている。第２固定部材３２には、第２の筐体３側に突出する複数の第１〜第３係止用爪３３，３４，３５が形成されている。
【００５４】
具体的には、図１０に拡大して示すように、第１係止用爪３３は、第２固定部材３２の下側に形成され、先端に鉤部３３ａが形成され、この鉤部３３ａが左右のリブ３３ｂに支持されている。第２係止用爪３４は、第２固定部材３２の中間部の左右に１つずつ設けられている。第３係止用爪３５は、第２固定部材３２の上側の左右に１つずつ上方へ突出するように設けられている。
【００５５】
第２平面部２０ｂには、第２固定部材３２を挿入する袋部２２が形成されている。袋部２２は、カバー２０の外周をミシンで袋状に縫いつけることで形成されている。上記第２平面部２０ｂの袋部２２には、第１及び第２係止用爪３３，３４が挿通される係止爪挿通用貫通孔２７，２８が形成されている。第２平面部２０ｂの袋部２２には、第２固定部材３２を挿入するためのスリット２３が形成されている。例えば、矩形板状の本革に係止爪挿通用貫通孔２７，２８、スリット２３を形成し、第２平面部２０ｂにミシンで縫いつければよい。ミシンであれば、第１平面部２０ａにノリ部２１を形成したり、第２平面部２０ｂに袋部２２を形成するのが容易である。
【００５６】
図６に示すように、上記第２の筐体３の背面には、上記第１〜第３係止用爪３３，３４，３５が係止される筐体側係合孔１３，１４，１５が形成されている。図１０に示すように、第１係止用爪３３が係止される筐体側係合孔１３には、該鉤部３３ａが引っ掛かる外れ止め部１３ａが形成されている。外れ止め部１３ａは、左右方向に移動させると、リブ３３ｂには引っ掛からずに鉤部３３に引っ掛かるように構成され、その外側には、外部に露出するスイッチ部３６が延設されている。このスイッチ部３６を操作する（例えば、図６の矢印Ａ方向にずらす）ことで、外れ止め部１３ａがリブ３３ｂよりも外側に移動し、鉤部３３ａと外れ止め部１３ａとの係合が解除されるように構成されている。これら鉤部３３ａと外れ止め部１３ａとの係合を解除することで、第２固定部材３２が第２の筐体３から取り外し可能に構成されている。
【００５７】
図８は、カメラカバー４０を取り付ける状態の斜視図である。第２平面部２０ｂには、カメラ部１２を露出させるように、カメラ用開口部２９が形成されている。カメラ用開口部２９の左右には、ビス挿通孔２６が形成されている。カメラ用開口部２９は、カメラ用開口部２９の切り口を隠すと共に、カメラ部１２のレンズ部分１２ａを露出させるレンズ露出部４０ａを備えたカメラカバー４０で覆われている。カメラカバー４０は、ビス挿通孔２７を有し、このビス挿通孔２７とカバー２０のビス挿通孔２６に挿通した２本のカメラカバー固定用ビス４１により取り付けられるようになっている。
【００５８】
図９及び図１０に示すように、カバー２０のミシン目４５が本体の周囲にめぐり、ミシン目４５の外は数ミリ程度に押さえて製品の大きさが大きくならないようにしている。
【００５９】
−カバーの着脱方法−
次に、本実施形態にかかるカバー２０の装着方法について説明する。
【００６０】
まず、図４に示すように、最初にカバー２０の袋部２２のスリット２３を開いて第２固定部材３２を挿入する。スリット２３があるために、第２固定部材３２を袋部２２に容易に挿入することができる。このとき、第１及び第２係止用爪３３，３４を係止爪挿通用貫通孔２７，２８に挿通して位置決めをしておく。また、第２固定部材３２は、カバー２０に先に挿入されているため、第２の筐体３には、電池蓋は付いていない。このように、第２固定部材３２は、電池蓋を兼ねているため、部品点数が少なくて済む。
【００６１】
次いで、図５に示すように、第１の筐体２をノリ部２１に下方から挿入する。
【００６２】
次いで、図６に示すように、第２固定部材３２がカバー２０に挿入された状態で、第３係止用爪３５を筐体側係合孔１５に挿入した後閉じて、第１及び第２係止用爪３３，３４を筐体側係合孔１３，１４に係止する。このとき、外れ止め部１３ａは、解除位置にある。そして、図１０に示すように、スイッチ部を操作して左右のリブ部３３ｂ間に移動させ、鉤部３３に外れ止め部１３ａを係合させる。このことで、第２平面部２０ｂが着脱自在に第２の筐体３の背面側に固定される。第１係止用爪３３の鉤部３３ａが筐体側係合孔１３の外れ止め部１３ａに係合することで、第２固定部材３２が外れ止めされ、通常使用時にカバー２０が第２の筐体３から外れないようになっている。
【００６３】
次いで、図７に示すように、ノリ部２１の上から第１固定部材３１を固定する。すなわち、第１固定部材３１の係止爪３１ｂを係止孔２ａに係止した後、各ビス挿通孔３１ｃに正面側から締結部材１１を挿通してネジ穴２ｂに締結する。このことで、図９に示すように、第１固定部材３１がノリ部２１を挟んだ状態で第１の筐体２に着脱可能に固定され、ノリ部２１の切り口が隠される。締結部材１１によって第１固定部材３１が締結されているので、通常使用時には、カバー２０は第１の筐体２から外れない。
【００６４】
次いで、図８に示すように、カメラカバー４０で第２平面部２０ｂのカメラ用開口部２９を覆う。具体的には、レンズ露出部４０ａでレンズ部分１２ａを露出させるように位置決めし、ビス挿通孔２６，２７に挿通した２本のカメラカバー固定用ビス４１により取り付ける。このようにすることで、カメラカバー４０でカメラ部１２のレンズ部分１２ａがカバー２０によって覆われるのが防止されるので、カメラ部１２にカバー２０が写ることはない。カメラカバー４０を樹脂成型品で構成したので、カバー２０に合わせた装飾が容易である。
【００６５】
次に、カバー２０を着せ替えする方法について説明する。
【００６６】
まず、カメラカバー固定用ビス４１を弛めてカメラカバー４０を取り外す。
【００６７】
次いで、図６に示すように、スイッチ部３６を矢印Ａの方向にずらしてリブ部３３ｂの外側に移動させて鉤部３３ａと外れ止め部１３ａとの係合を解除する。このようにスイッチ部３６を操作するだけで鉤部３３ａと外れ止め部１３ａとの係合が解除されるので、カバー２０の交換が容易である。
【００６８】
次いで、第２平面部２０ｂを第２の筐体３から外し、第２固定部材３２を第２平面部２０ｂのスリット２３から取り出す。
【００６９】
次いで、締結部材１１の締結を解除して、第１固定部材３１を取り外し、カバー２０が第１の筐体２から外され、カバー２０が取り外される。
【００７０】
次いで、上記カバー２０の装着方法を繰り返して別のカバー２０を取り付ける。
【００７１】
−実施形態の効果−
したがって、本実施形態によると、第１固定部材３１により、第１平面部２０ａと第１の筐体２とを着脱自在に固定し、第２平面部２０ｂの袋部２２に挿入された第２固定部材３２により、第２平面部２０ｂと第２の筐体３とを着脱自在に固定している。このため、通常時は、カバー２０が第１及び第２固定部材３１，３２によって固定され、交換時には、第１及び第２固定部材３１，３２を取り外すことで、カバー２０が着脱可能となる。したがって、傷発生を防止するのみならず、使用時には外れにくく、交換時には容易に交換して着せ替えができる、見映えがよく、商品性の高い高級感、ファッショ性のある折畳み式携帯電話機１が得られる。
【００７２】
（その他の実施形態）
本発明は、上記実施形態について、以下のような構成としてもよい。
【００７３】
すなわち、上記実施形態では、カバー２０は、本革で構成したが、合成皮革で構成してもよい。このことで、材質や加工方法によって表面にいろいろな装飾を施すことができると共に、手入れが容易である。また、カバー２０を布で構成してもよい。このことで、カバー２０が汚れれば取り外して洗うことも可能となる。
【００７４】
上記実施形態では、第１及び第２固定部材３１，３２を樹脂成型品で構成した。このため、複雑な形状でも加工が容易で質量も軽いものとすることができるが、第１及び第２固定部材３１，３２を金属材料で構成してもよい。このことで、第１及び第２固定部材３１，３２の剛性が高いので、カバー２０を第１及び第２の筐体２，３に堅固に固定できる。また、一方を樹脂成型品で他方を金属材料で構成してもよい。
【００７５】
上記カメラカバー４０を金属材料で構成してもよい。このことで、剛性が高くなるので、カバー２０が外れにくくなる。
【００７６】
上記実施形態では、第２の筐体３にカメラ部１２を設けたが、第１の筐体２側にカメラ部１２を設けてもよい。その場合には、第１平面部２０ａにカメラ用開口部２９等を設ければよい。
【００７７】
上記実施形態では、折畳み式電子機器は、折畳み式携帯電話機としたが、折畳み式の、ＰＨＳ、ＰＤＡ、ゲーム機、ＰＣ、モバイルツール、電子辞書、電卓、複写機等であってもよい。
【００７８】
なお、以上の実施形態は、本質的に好ましい例示であって、本発明、その適用物や用途の範囲を制限することを意図するものではない。
【図面の簡単な説明】
【００７９】
【図１】本発明の実施形態に係る折畳み式携帯電話機の閉じた状態をカメラ部が下になるようにして右方向から見た斜視図である。
【図２】本発明の実施形態に係る折畳み式携帯電話機の閉じた状態をカメラ部が上になるようにして右方向から見た斜視図である。
【図３】折畳み式携帯電話機の開いた状態を右方向から見た斜視図である。
【図４】カバーと第２固定部材との分解斜視図を示す。
【図５】第２固定部材を挿入したカバーと電話機本体とを右方向から見た斜視図である。
【図６】本体の第１の筐体をカバーに挿入後、第２固定部材を閉じて組み上げる状態を示す斜視図である。
【図７】第１固定部材を取り付ける状態を示す斜視図である。
【図８】カメラカバーを取り付ける状態を示す斜視図である。
【図９】図１のおけるIX−IX線断面図である。
【図１０】図３におけるＸ−Ｘ線断面図である。
【符号の説明】
【００８０】
１      折畳み式携帯電話機（折畳み式電子機器）
２      第１の筐体
３      第２の筐体
１１      締結部材
１２      カメラ部
１３，１４，１５      筐体側係合孔
１３ａ    外れ止め部
１９      電池
２０      カバー
２０ａ    第１平面部
２０ｂ    第２平面部
２０ｃ    結合部
２１      ノリ部
２２      袋部
２３      スリット
２７，２８      係止爪挿通用貫通孔
２９      カメラ用開口部
３１      第１固定部材
３２      第２固定部材（電池蓋）
３３      第１係止用爪
３３ａ    鉤部
３４      第２係止用爪
３５      第３係止用爪
３６      スイッチ部
４０      カメラカバー
４０ａ    レンズ露出部
【図１】
2007329697.tif 000003
【図２】
2007329697.tif 000004
【図３】
2007329697.tif 000005
【図４】
2007329697.tif 000006
【図５】
2007329697.tif 000007
【図６】
2007329697.tif 000008
【図７】
2007329697.tif 000009
【図８】
2007329697.tif 000010
【図９】
2007329697.tif 000011
【図１０】
2007329697.tif 000012